(57)【要約】【課題】  動作モードに応じて所定の操作部材に登録が可能な機能に制限がかかることをユーザーに明示する。【解決手段】  所定の操作部材に登録可能な機能の一覧を取得し、登録可能な機能が複数の動作モードから選択された現在の動作モードで有効か無効かを判定する。ここで、無効と判定された機能に対しては当該機能が無効であることを示す警告表示を伴ったアイコン表示４０１が行われる。【選択図】      図４
2005221771.tif 000002
【特許請求の範囲】
【請求項１】
所定の操作部材にユーザーが複数の機能から任意の機能を選択して登録可能な撮像装置の機能表示方法であって、
前記所定の操作部材に登録可能な機能の一覧を取得する工程と、
前記登録可能な機能が複数の動作モードから選択された現在の動作モードで有効か無効かを判定する工程と、
前記判定する工程で無効と判定された機能に対しては当該機能が無効であることを示す警告表示を伴って表示する工程とを有することを特徴とする機能表示方法。
【請求項２】
前記表示する工程では、前記所定の操作部材に登録可能な機能をアイコン表示することを特徴とする請求項１記載の機能表示方法。
【請求項３】
前記表示する工程で表示された有効な機能を前記所定の操作部材に登録する工程を更に有することを特徴とする請求項１記載の機能表示方法。
【請求項４】
前記所定の操作部材は、ショートカットボタンであることを特徴とする請求項１記載の機能表示方法。
【請求項５】
所定の操作部材にユーザーが複数の機能から任意の機能を選択して登録可能な撮像装置であって、
前記所定の操作部材に登録可能な機能の一覧を取得する手段と、
前記登録可能な機能が複数の動作モードから選択された現在の動作モードで有効か無効かを判定する手段と、
前記判定する手段で無効と判定された機能に対しては当該機能が無効であることを示す警告表示を伴って表示する手段とを有することを特徴とする撮像装置。
【請求項６】
コンピュータに、請求項１に記載された機能表示方法の各手順を実行させるためのプログラム。
【請求項７】
請求項６に記載されたプログラムを記録したコンピュータ読み取り可能な記録媒体。
【発明の詳細な説明】
【技術分野】
【０００１】
本発明は、所定の操作部材にユーザーが複数の機能から任意の機能を選択して登録可能な撮像装置及び機能表示方法に関する。
【背景技術】
【０００２】
従来、固体メモリ素子を有するメモリカードを記録媒体として静止画像や動画像を記録再生する電子カメラ等の撮像装置が既に市販されており、この撮像装置にはファインダー画像表示や記録画像の再生表示或いはＧＵＩメニューの操作などを行うための液晶モニタが一般的に搭載している。
【０００３】
このような液晶モニタに表示されるメニューを用いて任意のボタンに撮影時の制御機能を割り当てる「ショートカット機能」を設定することで、メニューの階層化にある機能や複数操作の組み合わせにより実現される機能がボタンの単押しで実現でき、操作性を向上させることが可能となる。
【０００４】
例えば、ユーザーが複数の機能の中から所望の機能を選択し、選択した機能をアイコンでショートカットメニュー画面に登録し、登録した機能をショートカットにより起動させるためのユーザーインターフェースを有する撮像装置（例えば、特許文献１参照）が提案されている。
【特許文献１】特開２００３−１９８７０５号公報
【発明の開示】
【発明が解決しようとする課題】
【０００５】
しかしながら、上述したショートカット機能による登録では、登録した撮影時の機能が所定の撮影モードにおいて無効である場合、そのモードで登録することは不可能である。利用者からすると、どの撮影モードにおいてもショートカットボタンで実現される機能が同一であるほうが理解しやすいという問題がある。
【０００６】
また、撮影時機能が無効となる撮影モードにおいて設定可能にした場合、そのまま登録してもショートカットボタンにおいて、撮影時機能が働かないことを利用者に認識させることは難しいという問題もある。
【０００７】
本発明は、上記課題を解決するためになされたもので、動作モードに応じて所定の操作部材に登録が可能な機能に制限がかかることをユーザーに明示することを目的とする。
【課題を解決するための手段】
【０００８】
本発明は、所定の操作部材にユーザーが複数の機能から任意の機能を選択して登録可能な撮像装置の機能表示方法であって、前記所定の操作部材に登録可能な機能の一覧を取得する工程と、前記登録可能な機能が複数の動作モードから選択された現在の動作モードで有効か無効かを判定する工程と、前記判定する工程で無効と判定された機能に対しては当該機能が無効であることを示す警告表示を伴って表示する工程とを有することを特徴とする。
【０００９】
また、本発明は、所定の操作部材にユーザーが複数の機能から任意の機能を選択して登録可能な撮像装置であって、前記所定の操作部材に登録可能な機能の一覧を取得する手段と、前記登録可能な機能が複数の動作モードから選択された現在の動作モードで有効か無効かを判定する手段と、前記判定する手段で無効と判定された機能に対しては当該機能が無効であることを示す警告表示を伴って表示する手段とを有することを特徴とする。
【発明の効果】
【００１０】
本発明によれば、動作モードに応じて所定の操作部材に登録が可能な機能に制限がかかることをユーザーに明示することにより、ユーザーの利便性を向上させることができる。
【発明を実施するための最良の形態】
【００１１】
以下、図面を参照しながら発明を実施するための最良の形態について詳細に説明する。本実施形態では、撮像装置として、記録媒体（例えば、ＥＥＰＲＯＭやハードディスク等の記録媒体）に電子的に画像を記録する電子カメラ（例えば、デジタルムービーカメラ、デジタルスチルカメラ、或いは、それらの複合機などのデジタルカメラ）を例に説明するが、本発明はこれに限らず、例えば、フィルムに光学的に画像を記録する銀塩カメラや、撮像機能を有する情報処理装置（例えば、パーソナルコンピュータ）、或いは撮像機能を有する携帯端末（例えば、携帯電話機）に適用することも可能である。
【００１２】
図１は、本実施形態における電子カメラの構成の一例を示す図である。図１において、１０は撮影レンズ（光学系）、１２は絞り機能を備えるシャッター、１４は被写体からの光学像を電気信号に変換する撮像素子（例えば、ＣＣＤセンサ、ＣＭＯＳセンサ）、１６は撮像素子１４のアナログ信号出力をディジタル信号に変換するＡ／Ｄ変換器である。
【００１３】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０によって制御される。
【００１４】
２０は画像処理回路であり、Ａ／Ｄ変換器１６からの画像データ或いはメモリ制御回路２２からの画像データに対して所定の画素補間処理や色変換処理を行う。また、画像処理回路２０においては、撮像した画像データに対して所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、及びＥＦ（フラッシュプリ発光による自動調光）処理を行っている。
【００１５】
更に、画像処理回路２０においては、撮像素子１４で撮像された画像データに基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１７】
Ａ／Ｄ変換器１６のデータが画像処理回路２０、メモリ制御回路２２を介して、或いはＡ／Ｄ変換器１６のデータが直接メモリ制御回路２２を介して画像表示メモリ２４或いはメモリ３０に書き込まれる。
【００１８】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。このとき、表示用の画像データには、画像用データと、文字やアイコン表示といったキャラクタ表示用データとの２種類が存在し、それぞれ画像表示メモリ２４に格納される。そして、画像表示メモリ２４に格納された各データはメモリ制御部２２において合成され、Ｄ／Ａ変換器２６を介して画像表示部２８へと出力される。
【００１９】
上述の画像表示メモリ２４に撮像した画像データを逐次表示すれば、電子ファインダー機能を実現することが可能である。
【００２０】
また、画像表示部２８は、システム制御回路５０の指示により任意に表示をオン／オフ（ON/OFF）することが可能であり、表示をオフにした場合には、電子カメラ１００の電力消費を大幅に低減することができる。
【００２１】
更に、画像表示部２８はバックライト２９の発光強度に応じて表示される明るさを変更することができる。バックライトの発光強度はバックライト制御部４１において設定変更可能である。
【００２２】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速、かつ大量の画像書き込みをメモリ３０に対して行うことが可能となる。また、メモリ３０はシステム制御回路５０の作業領域としても使用することが可能である。
【００２３】
３２は適応離散コサイン変換（ＡＤＣＴ）等により画像データを圧縮・伸長する圧縮・伸長回路であり、メモリ３０に格納された画像を読み込んで圧縮処理を行い、或いは伸長処理を行い、処理を終えたデータをメモリ３０に書き込む。
【００２４】
４０は絞り機能を備えるシャッター１２を制御する露光制御部であり、フラッシュ４８と連携することによりフラッシュ調光機能も有するものである。
【００２５】
４２は撮影レンズ１０のフォーカシングを制御する測距制御部、４４は撮影レンズ１０のズーミングを制御するズーム制御部、４６は撮影レンズ１０を保護するバリア１０２の動作を制御するバリア制御部である。４８はフラッシュであり、ＡＦ補助光の投光機能、フラッシュ調光機能も有する。
【００２６】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００２７】
５０は電子カメラ１００全体を制御するシステム制御回路であり、５２はシステム制御回路５０の動作用の定数、変数、プログラム等を記憶するメモリである。
【００２８】
５４はシステム制御回路５０によるプログラムの実行に応じて、文字、画像、音声等を用いて動作状態やメッセージ等を表示する液晶表示装置やスピーカー等の表示部であり、電子カメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００２９】
表示部５４に表示される情報のうち、ＬＣＤ等に表示される情報としては、例えばシングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体１２０、１３０の着脱状態表示、通信Ｉ／Ｆ動作表示、日付・時刻表示、等がある。
【００３０】
また、表示部５４に表示される情報のうち、光学ファインダー１０４内に表示される情報としては、例えば合焦表示、手振れ警告表示、フラッシュ充電表示、シャッタースピード表示、絞り値表示、露出補正表示、等がある。
【００３１】
６０、６２、６４、６６、６８及び７０は、システム制御回路５０に対する各種の動作指示を入力するための操作手段であり、スイッチやダイアル、タッチパネル、視線検知によるポインティング、音声認識装置等の単数或いは複数の組み合わせで構成される。
【００３２】
ここで、これらの操作手段の具体的な説明を行う。
【００３３】
６０はモードダイアルスイッチであり、電源オフ、自動撮影モード、撮影モード（露出の決定に関しては、プログラムモード、絞り優先モード、シャッタースピード優先モード等を含む）、パノラマ撮影モード、再生モード、マルチ画面再生・消去モード、ＰＣ接続モード、等の各種動作モードを切り替え設定することができる。
【００３４】
６２はシャッタースイッチＳＷ１であり、不図示のシャッターボタンの操作途中（半押し）でオン状態となり、ＡＦ（オートフォーカス）処理、ＡＥ（自動露出）処理、ＡＷＢ（オートホワイトバランス）処理、ＥＦ（フラッシュプリ発光）処理等の開始をシステム制御回路５０に指示する。
【００３５】
６４はシャッタースイッチＳＷ２であり、不図示のシャッターボタンの操作完了（全押し）でオン状態となり、撮像素子１２から画像信号を読み出してＡ／Ｄ変換器１６でデジタル画像データに変換した後、これを画像処理回路２０で処理してメモリ制御回路２２を介してメモリ３０に書き込む処理や、メモリ３０から画像データを読み出して圧縮・伸長回路３２で圧縮し、その圧縮された画像データを記録媒体１２０又は１３０に書き込む処理を含む、一連の処理（撮影）の開始をシステム制御回路５０に指示する。
【００３６】
６６は画像表示ＯＮ／ＯＦＦスイッチであり、画像表示部２８のオン又はオフを設定することができる。この機能により、光学ファインダー１０４を用いて撮影を行う際に、TFT LCD等から成る画像表示部２８への電流供給を遮断することにより、省電力を図ることが可能となる。
【００３７】
６８はクイックレビューＯＮ／ＯＦＦスイッチであり、撮影直後に撮影した画像データを自動再生するクイックレビュー機能を設定する。尚、本実施形態では、特に画像表示部２８をオフとした場合におけるクイックレビュー機能の設定を行える機能を有するものとする。
【００３８】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー上移動ボタン、メニュー下移動ボタン、メニュー右移動ボタン、メニュー左移動ボタン、再生画像移動＋（プラス）ボタン、再生画像−（マイナス）ボタン、撮影画質選択ボタン、露出補正ボタン、日付／時間設定ボタン、シングル再生マルチ再生切替ボタン、及び任意の機能が割り当て可能なショートカットボタン等がある。
【００３９】
５６は電気的に消去・記録可能な不揮発性メモリであり、例えばEEPROM等が用いられる。このメモリ領域に撮影時の様々な設定が記憶され、例えば上述のショートカットボタンに割り当てられた機能などが記憶される。
【００４０】
８０は電源制御部であり、電源検出回路、ＤＣ−ＤＣコンバータ、通電するブロックを切り替えるスイッチ回路等を含み、電源の有無、電源の種類、電池残量の検出を行い、その検出結果とシステム制御回路５０からの指令に従ってＤＣ−ＤＣコンバータを制御し、必要な電圧を必要な期間に各ブロックに供給する。
【００４１】
８２はコネクタ、８４はコネクタ、８６はアルカリ電池やリチウム電池等の一次電池、ＮｉＣｄ電池、ＮｉＭＨ電池、又はＬｉ電池等の二次電池、或いはＡＣアダプター等からなる電源である。
【００４２】
９０及び９４はメモリカードやハードディスク等の記録媒体とのインターフェース、９２及び９６はメモリカードやハードディスク等の記録媒体と接続を行うコネクタ、９８は記録媒体着脱検知部であり、コネクタ９２、９６に記録媒体１２０、１３０が装着されているか否かを検知する。
【００４３】
尚、本実施形態では、記録媒体を取り付けるインターフェース、コネクタを２系統持つものとして説明したが、記録媒体を取り付けるインターフェース、コネクタは単数或いは複数、何れの系統数を備える構成としても構わない。また、異なる規格のインターフェース、コネクタを組み合わせて備える構成としても構わない。
【００４４】
更に、上述のインターフェース及びコネクタとして、例えばＰＣＭＣＩＡカードやＣＦ（コンパクトフラッシュ（登録商標））カード等の規格に準拠したものを用いて構成しても構わない。その場合、ＬＡＮカード、モデムカード、ＵＳＢカード、IEEE1394カード、P1284カード、ＳＣＳＩカード、ＰＨＳ等の各種通信カードを接続することにより、他のコンピュータやプリンタ等の周辺機器との間で画像データや画像データに付属した管理情報を相互に転送することができる。
【００４５】
１０２はバリアであり、電子カメラ１００の撮影レンズ１０を含む撮像部を覆うことにより、撮像部の汚れや破損を防止する。
【００４６】
１０４は光学ファインダーであり、画像表示部２８による電子ファインダー機能を使用することなく、光学ファインダーのみを用いて撮影を行うことが可能である。また、光学ファインダー１０４内には、表示部５４の一部の機能、例えば合焦表示、手振れ警告表示、フラッシュ充電表示、シャッタースピード表示、絞り値表示、露出補正表示などが設置されている。
【００４７】
１１０は通信回路であり、USB、IEEE1394、P1284、SCSI、モデム、LAN、RS-232C、無線通信等の各種通信機能を提供する。通信回路１１０には、電子カメラ１００を他の機器と接続するためのコネクタ１１２又は無線通信機能を提供する際にはアンテナが接続される。
【００４８】
１２０はメモリカードやハードディスク等の記録媒体である。記録媒体１２０は、半導体メモリや磁気ディスク等から構成される記録部１２２、電子カメラ１００とのインターフェース１２４、電子カメラ１００と接続を行うコネクタ１２６を備えている。
【００４９】
１３０はメモリカードやハードディスク等の記録媒体である。記録媒体１３０は、半導体メモリや磁気ディスク等から構成される記録部１３２、電子カメラ１００とのインターフェース１３４、電子カメラ１００と接続を行うコネクタ１３６を備えている。
【００５０】
以上の構成を有する電子カメラ１００において、ユーザーがモードダイアル６０を所望の動作モードに設定し、操作部７０からメニューボタンを押下すると、システム制御回路５０はメニューを表示部５４に表示する。この状態で、ユーザーがメニューからショートカットボタンの登録を選択すると、システム制御回路５０は、例えば図２に示す登録画面を表示部５４に表示する。
【００５１】
図２は、ショートカットボタンに登録可能な機能をアイコンで表示させた画面の一例を示す図である。図２に示す例は、現在の動作モードがプログラムＡＥモードで、ショートカットボタンに登録可能な機能一覧をアイコン表示したものである。図２に示すアイコン２０１は左から、記録画素数、ＩＳＯ感度、ホワイトバランス、色効果設定、ＡＥロック、ＡＦロック、ＬＣＤ消灯の各機能を示すアイコンである。
【００５２】
ここで、ユーザーがショートカットボタンに所望の機能を登録する際に、システム制御回路５０が、ショートカットボタンで実現される機能が現在の動作モードにおいて有効か無効かを判定し、無効の場合、表示部５４に警告表示を行う処理について説明する。
【００５３】
図３は、本実施形態におけるショートカット登録画面の表示処理を示すフローチャートである。システム制御回路５０がショートカット登録画面の表示処理を開始すると、まずステップＳ３０１において、モードダイアル６０の現在の位置を取得する。例えば、電源オフ、自動撮影モード、撮影モード、パノラマ撮影モード、再生モード、マルチ画面再生・消去モード、ＰＣ接続モード、等のモードのうち、ここでは、撮影モードが設定されているものとする。
【００５４】
次に、ステップＳ３０２において、システム制御回路５０は、ショートカットボタンに登録可能な機能の一覧を不揮発性メモリ５６から取得する。そして、ステップＳ３０３において、ステップＳ３０２で取得したショートカット機能がステップＳ３０１で取得した現在の動作モードにおいて有効か無効かを判定する。この判定処理は、例えば動作モード毎にショートカットボタンに登録可能な機能を不揮発性メモリ５６にテーブルとして記憶しておき、そのテーブルを検索する処理である。ここで、当該機能が現在の動作モードで有効な場合はステップＳ３０４へ進み、図２に示すように、当該機能が有効であることを通常のアイコンで表示する。
【００５５】
また、ステップＳ３０３において当該機能が現在の設定モードで無効な場合はステップＳ３０５へ進み、図４に示すように、当該機能を示すアイコンに警告表示する。図４に示すアイコン４０１は、例えばオートモードのように、撮影機能に制限がある設定モードで、５つの機能（ＩＳＯ感度、ホワイトバランス、色効果設定、ＡＥロック、ＡＦロック）が無効であることをアイコンに警告表示を伴って表示したものである。
【００５６】
次に、ステップＳ３０６において、ショートカット登録可能な全機能分チェックしたか否かを判定し、全機能のチェックが終了した時点で、この表示処理を終了する。
【００５７】
その後、ユーザーが上述した表示処理によって表示されたアイコン上を操作部７０配下の左右ボタンを用いて移動させ、設定したい機能が有効な状態を示すアイコン上でＳＥＴボタン（図２に示す２０２）を押下すると、システム制御回路５０はＳＥＴボタンが押下された時点でフォーカスされている機能をショートカットボタンに対して割り当て、その機能をショートカット機能として不揮発性メモリ５６に登録する。
【００５８】
以降、システム制御回路５０は、操作部７０配下のショートカットボタンの押下を検知すると、登録されたショートカット機能を実行する。
【００５９】
尚、登録されたショートカット機能を実行する場合、モードダイアル６０の現在の動作モードを参照し、現在登録されているショートカット機能が有効である場合に、その登録されたショートカット機能を実行する。また、現在登録されているショートカット機能が無効である場合には、何も行わない。
【００６０】
また、電源８６がオフされても、不揮発性メモリ５６にショートカットボタンの機能が登録されているので、次回起動されたとき、システム制御回路５０は不揮発性メモリ５６から登録されたショートカット機能を読み出してショートカットボタンに対して割り当てることができる。
【００６１】
以上説明した実施形態によれば、ショートカットボタンに登録可能な機能を動作モードに依らず統一でき、現在の動作モードにおいて、無効な機能に関しては実行不可能であることを知らせるためのガイダンスを表示することで、ユーザーの利便性を向上させることができる。
【００６２】
［変形例］
上述した実施形態では、全てのモードにおいて、ショートカット登録可能な機能が一致した例を示したが、現在の動作モードとして、例えば静止画撮影モードや動画撮影モードでは登録可能な機能を変更することも可能である。
【００６３】
例えば、現在の動作モードが動画撮影モードである場合、図３に示すステップＳ３０１において、動画撮影モードを取得し、ステップＳ３０２において、静止画撮影モードとは異なるショートカット登録機能一覧を取得する。具体的には、図５に示す５０１のように、登録機能の第１アイコン及び第２アイコンを変更し、第１アイコンを画質設定に、第２アイコンをフレームレートに変更する。そして、これ以降の処理は、ステップＳ３０３〜ステップＳ３０６と同様に、機能が有効か無効かに応じてその機能に対応するアイコンにガイダンス（無効であれば、登録できない旨）を表示する。
【００６４】
この変形例によれば、動作モードに応じてショートカットボタンに登録可能な機能一覧を変更できることで、より柔軟なショートカット機能の登録をユーザーに提供することができる。
【００６５】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００６６】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読み出して実行することによっても、達成されることは言うまでもない。
【００６７】
この場合、記録媒体から読出されたプログラムコード自体が前述した実施形態の機能を実現することになり、そのプログラムコードを記憶した記録媒体は本発明を構成することになる。
【００６８】
このプログラムコードを供給するための記録媒体としては、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７０】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００７１】
【図１】本実施形態における電子カメラの構成の一例を示す図である。
【図２】ショートカットボタンに登録可能な機能をアイコンで表示させた画面の一例を示す図である。
【図３】本実施形態におけるショートカット登録画面の表示処理を示すフローチャートである。
【図４】設定モードで機能が無効であることをアイコンに警告表示を伴って表示させた画面の一例を示す図である。
【図５】変形例におけるアイコン表示画面の一例を示す図である。
【符号の説明】
【００７２】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ  
５０  システム制御回路
５２  メモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御部
８２  コネクタ
８４  コネクタ
８６  電源
９０  インターフェース
９２  コネクタ
９４  インターフェース
９６  コネクタ
９８  記録媒体着脱検知部
１００  電子カメラ
１０２  バリア
１０４  光学ファインダー
１１０  通信回路
１１２  コネクタ（又はアンテナ）
２００  記録媒体
２０２  記録部
２０４  インターフェース
２０６  コネクタ
２１０  記録媒体
２１２  記録部
２１４  インターフェース
２１６  コネクタ
【図１】
2005221771.tif 000003
【図２】
2005221771.tif 000004
【図３】
2005221771.tif 000005
【図４】
2005221771.tif 000006
【図５】
2005221771.tif 000007